(57)【特許請求の範囲】
【請求項１】
座板の後部より樹立された取付軸に硬質合成樹脂製の起立支持板を固定し、両側部に上下方向の長孔が開設された支持金具を該起立支持板の下部に固定し、適度な可撓性を有するように硬弾性合成樹脂により透窓板状に形成されたサポート部材の上部に枢軸を一体に形成し該枢軸を起立支持板の前面に形成された軸受部に嵌合し、該サポート部材の下部には連結軸を横架状に挿通し、該連結軸を前記長孔中に貫挿することで該連結軸を支持金具に上下動可能に支持するとともに、ハンドル軸を回転自在なるように該起立支持板に水平に支持し、該ハンドル軸に形成された螺子軸部に傾斜状の案内溝が形成されたクサビ状部材を螺合し、前記連結軸を連動部材に挿通し、該連動部材に形成された案内片を前記案内溝に合着させることでクサビ状部材と連動部材とを離脱不能に摺接させ、さらに中央に窓孔が開設された基板の前面にクッション材を配し該クッション材を表皮により包囲してなるクッション盤を前記起立支持板の前面に被着することで前記サポート部材を該窓孔より該クッション材中に臨ませ、前記ハンドル軸を回転操作することで前記クサビ状部材が横移動し前記連動部材がサポート部材の下縁部を上下動させることで該窓孔中における該サポート部材の前方への反り具合が調節されるようにしたことを特徴とする椅子の背もたれ部構造。
【発明の詳細な説明】
【０００１】
【発明の属する技術分野】
本発明はランバーサポート機構を備えた椅子の背もたれ部構造に関するものである。
【０００２】
【従来の技術】
背もたれ部に脊椎，腰椎を支持するランバーサポート機構が設けられた事務用椅子は、従来から特表平４−５０４０７５，特開平８−９８７３８等により知られている。
【０００３】
ところで、従来のランバーサポート機構は、概してその構成に必要な部品点数が多いために、製造コストが高くなるという問題があった。
【０００４】
【発明が解決しようとする課題】
そこで本発明は、比較的少ない部品数で構成し得るランバーサポート機構を備えた椅子の背もたれ部構造を提供し、高機能の椅子を低コストで製造し得るようにするものである。
【０００５】
【課題を解決するための手段】
そのために本発明に係る椅子の背もたれ部構造は、座板の後部より樹立された取付軸に硬質合成樹脂製の起立支持板を固定し、両側部に上下方向の長孔が開設された支持金具を該起立支持板の下部に固定し、適度な可撓性を有するように硬弾性合成樹脂により透窓板状に形成されたサポート部材の上部に枢軸を一体に形成し該枢軸を起立支持板の前面に形成された軸受部に嵌合し、該サポート部材の下部には連結軸を横架状に挿通し、該連結軸を前記長孔中に貫挿することで該連結軸を支持金具に上下動可能に支持するとともに、ハンドル軸を回転自在なるように該起立支持板に水平に支持し、該ハンドル軸に形成された螺子軸部に傾斜状の案内溝が形成されたクサビ状部材を螺合し、前記連結軸を連動部材に挿通し、該連動部材に形成された案内片を前記案内溝に合着させることでクサビ状部材と連動部材とを離脱不能に摺接させ、さらに中央に窓孔が開設された基板の前面にクッション材を配し該クッション材を表皮により包囲してなるクッション盤を前記起立支持板の前面に被着することで前記サポート部材を該窓孔より該クッション材中に臨ませ、前記ハンドル軸を回転操作することで前記クサビ状部材が横移動し前記連動部材がサポート部材の下縁部を上下動させることで該窓孔中における該サポート部材の前方への反り具合が調節されるようにしたことを特徴とする。
【０００６】
【発明の実施の形態】
次に本発明の実施の形態を図面に従い説明する。図１はこの椅子の背もたれ部の縦断面図であって、１は脚部２に支持された座板、３は該座板の後部より樹立された取付軸、４は該取付軸に摘子ネジ５によって固定された背もたれ部である。
【０００７】
背もたれ部４は、図５〜図６にも示したように、支持金具６と、硬質合成樹脂製の起立支持板７と、硬弾性合成樹脂製のサポート部材８と、クッション盤９とからなる。クッション盤９は基板１０の前面にクッション材１１を配し該クッション材を表皮１２により包囲し、綴針１３により該表皮１２の周縁部を基板１０の裏面に止着してなる。なお、該基板１０の中央には方形状の窓孔１４が開設される。また１５は該基板１０の周縁部に形成された係合孔である。また、サポート部材８は適度な可撓性を有するように硬弾性合成樹脂により透窓板状に形成され、上部には枢軸１６が一体に形成され、下部には連結軸１７を横架状に挿通し得るように一対の軸受部１８が一体に形成されたものである。
【０００８】
また、起立支持板７は、前面に多数の補強リブ２０が形成される他、上部に一対の軸支部２１が形成され、周縁部寄りには複数の起立片２２が形成されている。そして該軸支部２１に枢軸１６を嵌合することによりサポート部材８の上縁部を該起立支持板７の前面に枢着している。支持金具６は鉄板を略凹状に折曲した形状であって、その両側部に上下方向の長孔２３が開設され、該長孔２３の上部には丸孔２４が開設されている。そして該支持金具６は起立支持板７の下部にビス２５により固着される。また、２６は螺子軸部２７，フランジ３０を有し先端に摘子２８が設られたハンドル軸で、該ハンドル軸は丸孔２４を貫通させるとともに、起立支持板７に形成された軸受部２９により回転自在なるように支持することで起立支持板７の前面に水平に設けられる。また長孔２３に前記連結軸１７を遊嵌することで該サポート部材８の下縁部を上下動可能に支持している。
【０００９】
３１は内蔵されたナット３２をハンドル軸２６の螺子軸部２７に螺合させたナイロン製のクサビ状部材である。また、３３は連結軸１７を挿通することで支持金具６の凹状部内に上下摺動自在に支持したナイロン製の連動部材で、前記クサビ状部材３１と該連動部材３３とは、図２，図４に示されるように、クサビ状部材３１に形成された傾斜状の案内溝３４に連動部材３３に形成された案内片３５を合着させることにより離脱不能なるように設けられる。
【００１０】
そして、該起立支持板７に形成された前記起立片２２をクッション盤９の基板１０の係合孔１５に嵌着し、起立支持板７の前面にクッション盤９を被着する。そのときサポート部材８が該基板１０の窓孔１４中に合致し、サポート部材８が該クッション盤９の背面からクッション材１１中に臨む。
なお、３６は支持金具６の背部に設けられた押板で、支持金具６に固着したナット３７に摘子ネジ５を螺合締付することにより支持金具６とともに前記取付軸３を挟着する。
【００１１】
このため、ハンドル軸２６を回転操作すれば、クサビ状部材３１が横移動し、連動部材３３がサポート部材８の下縁部を上下動させる。このためサポート部材８は、図７に示したように、枢軸１６を支点として前方に反り、その回転操作によって該サポート部材の反り具合を自在に調節することができる。そして該サポート部材の反りはクッション材１１を前方に押し出すことから、クッション盤９にもたれた人に合わせてその脊椎，腰椎を支持することができる。なお、ここで、クサビ状部材３１と連動部材３３とは互いの案内溝３４，案内片３５を合着させていることから、ハンドル軸２６を回転操作しクサビ状部材３１を左右に横移動させたとき連動部材３３を上下動せられる。
【００１２】
またこの実施形態では、座板１の後部より樹立された取付軸２に起立支持板を固定するために該起立支持板の下部に固定された支持金具６に長孔２３を開設し、該長孔中に連結軸１７を貫挿し該連結軸を上下動可能に支持することでサポート部材の下縁部を該長孔２３に沿って上下動し得るようにしたので、この種の事務用椅子が元来備えている取付用の支持金具を利用してランバーサポート機構を構成でき、ランバーサポート機構を構成するうえでの実際に必要な部品点数を大幅に削減することができる。また、硬質合成樹脂製の起立支持板には軸支部２１を一体に形成でき部品点数を増加させることなくサポート部材を容易に枢着し得る。
【００１３】
【発明の効果】
このように本発明に係る椅子の背もたれ部構造は、可撓性のサポート部材の上縁部を起立支持板の前面に枢着し、ハンドル軸を回転自在なるように該起立支持板に水平に支持し、該ハンドル軸に形成された螺子軸部にクサビ状部材を螺合し、サポート部材の下縁部には連結軸を介して該クサビ状部材に摺接する連動部材を設け、ハンドル軸を回転操作することで該クサビ状部材が横移動し、連動部材が該サポート部材の下縁部を上下動させることで該サポート部材の反り具合が調節されるようにしたので、構成が簡略化され、少ない部品点数で使用感が優れたランバーサポート機構を備えた椅子が提供できるようになり、その製造コストを軽減させる有益な効果がある。
【図面の簡単な説明】
【図１】本発明に係る椅子の実施の形態を示した背もたれ部の縦断面図。
【図２】図１の要部拡大図。
【図３】図２のＡ−Ａ線断面図。
【図４】図２のＢ−Ｂ線矢視図。
【図５】図１の椅子の背もたれ部の分解斜視図。
【図６】図１の椅子の背もたれ部の要部の分解斜視図。
【図７】図２の作動状態図。
【符号の説明】
１        座板
３        取付軸
４        背もたれ部
６        支持金具
７        起立支持板
８        サポート部材
９        クッション盤
１０      基板
１１      クッション材
１２      表皮
１４      窓孔
１６      枢軸
１７      連結軸
１８      軸受部
２１      軸支部
２３      長孔
２６      ハンドル軸
２７      螺子軸部
２８      摘子
３１      クサビ状部材
３３      連動部材
３４      案内溝
３５      案内片
【図１】
0003548131.tif 000002
【図２】
0003548131.tif 000003
【図３】
0003548131.tif 000004
【図４】
0003548131.tif 000005
【図５】
0003548131.tif 000006
【図６】
0003548131.tif 000007
【図７】
0003548131.tif 000008